(57)【特許請求の範囲】
【請求項１】
壁の開口枠の開口面側に長さ方向に延長して形成される溝にケーシングの固定用端部が嵌合することによりケーシングが設けられる開口部において、前記溝に嵌合する突起と、該突起の前端から開口部の外方に向けて延長して該突起と共に前記ケーシングと同一断面形状を有するように形成される基端部と、該基端部から前方に突出して設けられる握り部とを有する手摺が、該突起が前記溝に嵌合されることにより前記ケーシングの一部に取って代わって設けられることを特徴とする手摺装置。
【請求項２】
請求項１において、前記手摺は前記開口枠の上下方向略全長に渡って設けられることを特徴とする手摺装置。
【発明の詳細な説明】
【技術分野】
【０００１】
本発明は、壁の開口部に設けられる手摺装置に関する。
【背景技術】
【０００２】
従来の手摺装置としては、開閉自在に扉が取り付けられた枠体の少なくとも一方の縦枠に、部分的または全長にわたって握り部を設けたもの（特許文献１）、あるいは開口面を化粧するための化粧枠であって、少なくとも一方の室内側に向かって延設される延設部を備え、その延設部は、開口部を出入りする際、姿勢を保つために手で掴むことができるように形成された手摺部を備えたもの（特許文献２）が知られている。
【特許文献１】実開平７−１０３６２号公報
【特許文献２】特開平９−１２５８２５号公報
【発明の開示】
【発明が解決しようとする課題】
【０００３】
しかしながら、これらの手摺装置は、扉が取り付けられた縦枠に、部分的または全長にわたって握り部を設けたもの、あるいは化粧枠の室内側に向かって延設される延設部に手摺部を設けたものであるから、開口部の枠体または化粧枠の大きさや場所が変わるごとに握り部または手摺部の位置を変えなければならないので、握り部または手摺部を設ける自由度が小さかった。
【０００４】
本発明が解決しようとする課題は、開口部における手摺の取り付ける自由度が大きいことである。
【課題を解決するための手段】
【０００５】
上記課題を解決するため本発明は、壁の開口枠の開口面側に長さ方向に延長して形成される溝にケーシングの固定用端部が嵌合することによりケーシングが設けられる開口部において、前記溝に嵌合する突起と、該突起の前端から開口部の外方に向けて延長して該突起と共に前記ケーシングと同一断面形状を有するように形成される基端部と、該基端部から前方に突出して設けられる握り部とを有する手摺が、該突起が前記溝に嵌合されることにより前記ケーシングの一部に取って代わって設けられることを特徴とする手摺装置である。
【０００６】
このようにすることにより、手摺の基端部に形成された突起がケーシングが固定される開口枠の溝に嵌合するので、その溝がある箇所であれば、どの箇所でも手摺を設けることができる。また、既にケーシングが取り付けられた開口部であっても、ケーシングの一部または全部を取り外して、その代わりに手摺を設けることができるので、リフォーム時にも対応可能である。また、開口枠の溝に手摺を設けることにより、手摺は歩行者が開口部を通過する際に安全に歩行することができるように支持する。
【０００７】
さらに、前記手摺は前記開口枠の上下方向略全長に渡って設けられると良い。手摺が開口枠の上下方向略全長に渡って設けられることにより、人の立ち座り、子供の開口部の通過などの際に安全に支持する。特に、高齢者が車椅子などで開口部を通過したり室内を移動する際に、あるいは立ち座りの際に安全に支持する。
【０００８】
次に本発明を構成する各要件についてさらに詳しく説明する。本手摺装置は、住宅、店舗などの建築物の壁の開口部であって、この開口枠に沿ってケーシングが設けられる場合に適用できる。この場合、室と室との間の壁に設けられる開口部、扉、引戸などが設けられる開口部あるいは窓の開口部などが含まれる。
【０００９】
本手摺装置は、開口部を通過する、またはその近くを移動するすべての歩行者が利用するものであるが、特に高齢者が室内を移動したり立ち座りする時などに最適に利用できる。
【００１０】
手摺は、人が握ることができる略棒状の握り部と、この握り部に延在する基端部とを有し、かつ基端部に突起が形成されていれば、特に限定されない。握り部の断面形状は、円形、楕円形、矩形、多角形などを利用できる。握り部の断面大きさは、材質にもよるが円形相当で２５〜４５ｍｍ程度、木質の場合には直径３２〜３５ｍｍ程度が好ましい。手摺の握り部の長さは、特に限定されないが、たとえば６００ｍｍから開口枠の上下方向全長の範囲で適宜選定すると良い。手摺がケーシング用の開口枠の溝の一部のみに設けられる場合、手摺以外の部分には手摺に連結してケーシングが設けられる。
【００１１】
基端部に形成された突起の形状は、特に限定されないが、矩形、異形矩形、鈎形などであり、突起が嵌合する開口枠の溝に係止する形状でも良い。突起が嵌合する開口枠の溝は、ケーシングの固定用端部が嵌合する開口枠の溝と同じで、たとえば開口部を形成する縦枠または上枠の正面または裏面（室側に向く面）に設けられる溝である。
【発明の効果】
【００１２】
本発明によれば、ケーシングが設けられる開口部において、ケーシングに取って代えて手摺を設けることができるので、開口部における手摺の取り付ける自由度が大きい。
【発明を実施するための最良の形態】
【００１３】
以下、本発明に係る手摺装置の実施形態を図面に基いて詳細に説明する。なお、図１〜８において、同一または同等部分には同一符号を付けて示す。
【実施例１】
【００１４】
図１は、本発明に係る手摺装置の一実施形態を示す正面図である。実施例１の手摺装置は、住宅などの建築物の室と室との間の壁の開口部１２に設けられる。開口部１２は、床面４２上に立設される左右の縦枠１４と、これら左右縦枠１４の上部同士を連結する上枠１６とから形成される。左右縦枠１４および上枠１６にはケーシング２０が設けられる。開口部１２には扉３０が設けられ、上下二つの蝶番３２を介して図の右側縦枠１４に支持される。扉３０の左右方向左側寄りで中間高さ位置には取手３４が設けられる。
【００１５】
さらに、左右縦枠１４の上下方向中間位置には手摺１が設けられる。手摺１の上端と下端は、ケーシング２０に連続している。手摺１の長さは、たとえば６００ｍｍであるが、この長さに限定されることはない。
【００１６】
図２は、図１における扉３０を開けた状態でのＡ矢視の要部側面図である。図３は、図１におけるＢ−Ｂ断面図である。図２に示すように、手摺１は、縦枠長さの一部に設けられるもので、縦枠１４に沿う方向に延長する握り部４と、この握り部４に延在する基端部６とを有する。握り部４と基端部６とは、手摺１の上部と下部において一体的に形成され、中間においては補強リブ８が適宜設けられ、握り部４の強度を補強する。
【００１７】
図３に示すように、開口部１２は、たとえば躯体である柱３８に飼木２２を介して縦枠１４および上枠（図１符号１６）を門形に組んで形成される。柱３８の外側には、たとえば石膏ボード３６が設けられる。さらに、基端部６には突起７が形成される。突起７の先端側は、ケーシング２０が固定される縦枠の溝１８に嵌合する。握り部４の材質は木質で、その断面形状は略矩形である。握り部４の断面大きさは、幅３５ｍｍ、厚さ２５ｍｍである。
【００１８】
基端部６は、その突起７を含めた形状が略Ｌ字形である。突起７が嵌合する縦枠の溝１８の形状、大きさは、ケーシング２０の固定用端部が嵌合する溝と同じで、開口部を形成する縦枠１４の正面または裏面（室側に向く面）に設けられる。
【００１９】
図４は、図１におけるＣ−Ｃ断面図である。開口部１２の縦枠１４に形成された溝１８にケーシング２０の固定用端部２０ａが嵌合する。石膏ボード３６の端部は、ケーシング２０で覆われる。また、ケーシング２０の断面形状と手摺１の基端部６及び突起７の断面形状とを同一とすることにより、ケーシング２０と手摺１との突き付け部に段差が生ずることなく面一となるため、突き付け部に指が引っかかり負傷する危険性が無く、意匠上も良好なものとなる。
【００２０】
以上のように形成される実施例１の手摺装置は、次のように作用する。すなわち、図１〜３に示すように、基端部の突起７は、ケーシング２０が固定される縦枠の溝１８に嵌合するので、ケーシングが固定される溝がある箇所であれば、どの箇所でも手摺１を設けることができる。また、既にケーシング２０が取り付けられた開口部であっても、ケーシング２０の一部を取り外して、その代わりに手摺１を取り付けることによってリフォーム時にも対応可能である。また、歩行者が開口部を通過する際の支持や立ち座りなどの支持の際にも利用できる。
【実施例２】
【００２１】
図５は、本発明に係る手摺装置の別の実施形態を示す正面図である。図６は、図５における扉３０を開けた状態でのＤ矢視の要部側面図である。この実施形態の手摺２は、開口部の縦枠１４の上下方向略全長に渡って設けられる。
【００２２】
図６に示すように手摺２は、先の手摺１と同じく、縦枠１４に沿う方向に延長する握り部４と、この握り部４に延在する基端部６とを有する。握り部４と基端部６とは、上部と下部において一体的に形成され、中間においては補強リブ８が適宜設けられ、握り部４の強度を補強する。
【００２３】
図７は、図５におけるＥ−Ｅ断面図である。手摺２は、その基端部の突起７が縦枠の溝１８に嵌合して固定されるが、さらに基端部６の裏面において、接続金物２４を介して飼木２２に固定される。
【００２４】
図５〜７に示した実施例２の手摺装置は、手摺２が縦枠１４の上下方向略全長に渡って設けられ、手摺が上下方向の低い位置にも設けられるので、人の立ち座り、子供などの利用に便利である。特に高齢者が車椅子などで室内を移動したり立ち座りする時などに最適に利用できる。図５〜７におけるその他の構造と作用は、図１〜４に示した実施例１の手摺装置と同じであるので、その説明を省略する。
【実施例３】
【００２５】
図８は、本発明に係る手摺装置のさらに別の実施形態を示す断面図である。図８に示す手摺装置は、壁の開口部の一つである窓の下枠１７に手摺３を設けたものである。手摺３は、下枠１７に沿う方向に延長する丸棒状の握り部４と、この握り部４に延在する基端部６とを有する。基端部６には突起７が形成されるが、突起７の少なくとも先端側は下枠１７に形成された溝１８に嵌合する。基端部６と突起７とは一体的に形成される。基端部６は、握り部４の長手方向に連続的に設けられても良いし、握り部４の長手方向において数箇所不連続的に設けられても良い。なお、符号４０は腰壁である。
【００２６】
図８に示した実施例３の手摺装置は、窓の下枠１７の水平方向に設けられることにより、人の歩行時はもちろん、高齢者などが車椅子などで室内を移動したり立ち座りする時などに最適に利用できる。図８におけるその他の構造と作用は、図１〜４に示した実施例１の手摺装置と同じであるので、その説明を省略する。
【００２７】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００２８】
本発明の手摺装置は、住宅、店舗などの建築物の壁の開口部であって、この開口部の開口枠に沿ってケーシングが設けられる場合に適用可能である。
【図面の簡単な説明】
【００２９】
【図１】本発明に係る手摺装置の一実施形態を示す正面図である。
【図２】図１におけるＡ矢視の要部側面図である。
【図３】図１におけるＢ−Ｂ断面図である。
【図４】図１におけるＣ−Ｃ断面図である。
【図５】本発明に係る手摺装置の別の実施形態を示す正面図である。
【図６】図５におけるＤ矢視の要部側面図である。
【図７】図５におけるＥ−Ｅ断面図である。
【図８】本発明に係る手摺装置のさらに別の実施形態を示す断面図である。
【符号の説明】
【００３０】
１、２、３  手摺
４  握り部
６  基端部
７  突起
１０  壁
１２  開口部
１４  縦枠（開口枠）
１６  上枠（開口枠）
１７  下枠（開口枠）
１８  溝
２０  ケーシング
２６  上下方向
【図１】
0004761853.tif 000002
【図２】
0004761853.tif 000003
【図３】
0004761853.tif 000004
【図４】
0004761853.tif 000005
【図５】
0004761853.tif 000006
【図６】
0004761853.tif 000007
【図７】
0004761853.tif 000008
【図８】
0004761853.tif 000009